(57)【要約】      （修正有）【課題】手首を上に持ち上げる一般的な日常生活で物品を扱う姿勢により、手首と指の屈筋を伸ばして、筋肉の長さを伸ばし、筋肉の張力を和らげる効果を達成することができる、関節調整機構を備えたハンドトレーニング装置を提供する。【解決手段】関節調整機構を備えたハンドトレーニング装置は、手掌装具本体１と、関節調整ユニット２を含み、手掌装具本体１に引張力調整ユニット１１が設置され、引張力調整ユニット１１が弾性部材１１１と、固定座体１１２と、指スリーブ１１３を備え、弾性部材１１１が固定座体１１２及び指スリーブ１１３に連結され、関節調整ユニット２に前腕装具本体２１と、固定部材２２と、調整部材２３と、連結部材２４が設置され、固定部材２２が手掌装具本体１と前腕装具本体２１のいずれか一方に設置され、連結部材２４が手掌装具本体１と前腕装具本体２１の他方に設置され、調整部材２３が固定部材２２と連結部材２４の間に連結される。【選択図】図１
0003231296.tif 000002
【実用新案登録請求の範囲】
【請求項１】
関節調整機構を備えたハンドトレーニング装置であって、手掌装具本体と、関節調整ユニットを含み、
前記手掌装具本体に引張力調整ユニットが設置され、前記引張力調整ユニットが弾性部材と、固定座体と、指スリーブを備え、前記弾性部材が前記固定座体及び前記指スリーブに連結され、
前記関節調整ユニットに前腕装具本体と、固定部材と、調整部材と、連結部材が設置され、前記固定部材が前記手掌装具本体と前記前腕装具本体のいずれか一方に設置され、前記連結部材が前記手掌装具本体と前記前腕装具本体の他方に設置され、前記調整部材が該固定部材と該連結部材の間に連結され、
前記調整部材の作動により、前記手掌装具本体を前記前腕装具本体に対して位置規制しつつ相対的に一定角度移動させる、ことを特徴とする、関節調整機構を備えたハンドトレーニング装置。
【請求項２】
前記調整部材が一方向ラチェットを備え、かつ前記調整部材が前記連結部材に挿通されて前記連結部材上の歯部により係止される、ことを特徴とする、請求項１に記載の関節調整機構を備えたハンドトレーニング装置。
【請求項３】
前記手掌装具本体が、第１枢結体を備え、前記前腕装具本体が第２枢結体を備え、前記第１枢結体と前記第２枢結体が枢着される、ことを特徴とする、請求項１に記載の関節調整機構を備えたハンドトレーニング装置。
【請求項４】
前記手掌装具本体が複数の貫通孔を備え、前記弾性部材の一端が前記固定座体に固定され、他端が前記貫通孔のいずれかに選択的に挿通されて前記指スリーブに結合される、ことを特徴とする、請求項１に記載の関節調整機構を備えたハンドトレーニング装置。
【請求項５】
前記固定座体が抵抗力調整部材を備えることを特徴とする、請求項４に記載の関節調整機構を備えたハンドトレーニング装置。
【考案の詳細な説明】
【技術分野】
【０００１】
本考案は関節調整機構を備えたハンドトレーニング装置に関し、関節調整ユニットの調整部材の作動を利用し、手掌装具本体を前腕装具本体に対して位置規制しつつ相対的に一定角度移動させる、関節調整機構を備えたハンドトレーニング装置に関する。
【背景技術】
【０００２】
現在、一般に脳卒中や頭部のケガによって手の機能に障害を発生した患者は、手の指に自分で力を加えることができないために曲がったままで伸ばすことが難しいとき、通常手の訓練器具によりリハビリを行い、正常な機能の回復を目指す必要がある。
【０００３】
上述の欠点を解決するため、本考案の考案者はすでに中華民国実用新案登録公告第Ｍ５８６１２０号の「手のリハビリ訓練器具の引張力調整構造」を提出しており、これは、複数の手指支持棒と親指支持棒とを有する手掌装具本体と、該手掌装具本体に結合され、固定座体が設置された前腕装具本体と、複数の弾性部材が設置され、該弾性部材の一端が該手指支持棒と該親指支持棒にそれぞれ結合され、また該弾性部材の他端が該固定座体にそれぞれ固定され、該弾性部材の他端を該固定座体において異なる固定長さに個別に調整し、個別の該弾性部材を調整して異なる伸長引張力を発生させる引張力調整ユニットと、を含む。異なる指のリハビリ時に必要な伸長引張力に基づいて、該弾性部材のきつさを個別に調整することができるものである。
【０００４】
上述の特許と市販の手の訓練器具は主に手の指の部位を鍛えるものであり、手首関節の部位を調整できる手首関節の調整構造がないが、手首を持ち上げることは一般の日常生活で物品を扱うときの機能的姿勢であり、手首を持ち上げることなく指を鍛える効果は限定的である。
【先行技術文献】
【特許文献】
【０００５】
【特許文献１】中華民国実用新案登録公告第Ｍ５８６１２０号明細書
【考案の概要】
【考案が解決しようとする課題】
【０００６】
本考案の目的は、関節調整機構を備えたハンドトレーニング装置を提供することにある。
【課題を解決するための手段】
【０００７】
上述の問題を解決するため、本考案の関節調整機構を備えたハンドトレーニング装置は、手掌装具本体と、関節調整ユニットを含み、該手掌装具本体に引張力調整ユニットが設置され、該引張力調整ユニットが弾性部材と、固定座体と、指スリーブを備え、該弾性部材が該固定座体及び該指スリーブに連結され、該関節調整ユニットに前腕装具本体と、固定部材と、調整部材と、連結部材が設置され、該固定部材が該手掌装具本体と該前腕装具本体のいずれか一方に設置され、該連結部材が該手掌装具本体と該前腕装具本体の他方に設置され、該調整部材が該固定部材と該連結部材の間に連結される。該調整部材の作動により、該手掌装具本体を該前腕装具本体に対して位置規制しつつ相対的に一定角度移動させる。
【０００８】
さらに、該調整部材が一方向ラチェットを備え、且つ該調整部材が該連結部材に挿通されて該連結部材上の歯部により係止される。
【０００９】
さらに、該手掌装具本体が第１枢結体を備え、該前腕装具本体が第２枢結体を備え、該第１枢結体と該第２枢結体が枢着される。
【００１０】
さらに、該手掌装具本体が複数の貫通孔を備え、該弾性部材の一端が該固定座体に固定され、他端が該貫通孔のいずれかに選択的に挿通されて該指スリーブに結合される。
【００１１】
さらに、該固定座体が抵抗力調整部材を備えている。
【考案の効果】
【００１２】
上述の技術的特徴に基づき、次の効果を達成することができる。
【００１３】
１.本考案は手掌装具本体と関節調整ユニットを備えている。該手掌装具本体に引張力調整ユニットが設置され、該関節調整ユニットに前腕装具本体と、固定部材と、調整部材と、連結部材が設置され、該調整部材が該固定部材と該連結部材の間に連結される。該調整部材の作動により、該手掌装具本体を該前腕装具本体に対して位置規制しつつ相対的に一定角度移動させる。手のトレーニングを行う者は、手首を任意の角度に調整し、手首を上に持ち上げる一般的な日常生活で物品を扱うときの機能的な姿勢により、手首と指の屈筋を伸ばして、筋肉の長さを伸ばし、筋肉の張力を和らげる効果を達成することができる。
【００１４】
２.本考案は該調整部材が一方向ラチェットを備え、且つ該調整部材が該連結部材に挿通されて該連結部材上の歯部により係止される。該調整部材を調整し、さらに該歯部で該調整部材を固定して、該手掌装具本体を該前腕装具本体に対してその角度を固定させることができる。
【００１５】
３.本考案は該手掌装具本体が第１枢結体を備え、該前腕装具本体が第２枢結体を備え、該第１枢結体と該第２枢結体が枢着され、手掌装具本体と前腕装具本体間を相対的に旋回させることができる。
【００１６】
４.本考案は該手掌装具本体が複数の貫通孔を備え、該弾性部材の一端が該固定座体に固定され、他端が該貫通孔のいずれかに選択的に挿通されて該指スリーブに結合され、かつ該固定座体が抵抗力調整部材を備えている。該貫通孔によりトレーニングする人の手の大きさに合わせて調整し、かつ該抵抗力調整部材によりトレーニングする人に必要な訓練強度に調整することができる。
【図面の簡単な説明】
【００１７】
【図１】本考案の関節調整機構を備えたハンドトレーニング装置の立体図である。
【図２】本考案の関節調整機構を備えたハンドトレーニング装置の上面図である。
【図３】本考案の関節調整機構を備えたハンドトレーニング装置の調整部材と連結部材の断面図である。
【図４】本考案の関節調整機構を備えたハンドトレーニング装置の位置規制しつつ一定角度移動させる動作を示す概略図である。
【図５】本考案の関節調整機構を備えたハンドトレーニング装置を装着した手の運動を示す概略図である。
【図６】本考案の関節調整機構を備えたハンドトレーニング装置の歯部と一方向ラチェットの分離状態を示す断面図である。
【考案を実施するための形態】
【００１８】
上述の技術的特徴を総合し、本考案の関節調整機構を備えたハンドトレーニング装置の主な効果は、以下の実施例を通じてはっきりと理解されるであろう。
【００１９】
図１と図２に示すように、関節調整機構を備えたハンドトレーニング装置は、手掌装具本体１と、関節調整ユニット２を含む。該手掌装具本体１には、手の指に対応する位置に設けられた引張力調整ユニット１１と、第１枢結体１２と、複数の貫通孔１３が設置され、そのうち引張力調整ユニット１１は本実施例において指の数に対応して５個設置されている。該引張力調整ユニット１１は、弾性部材１１１と、固定座体１１２と、指スリーブ１１３と、抵抗力調整部材１１４を備え、該固定座体１１２が手掌装具本体１に固定され、該弾性部材１１１の一端が該固定座体１１２に調整可能に連結され、他端が指の位置に対応する該貫通孔１３のいずれかに選択的に挿通されて該指スリーブ１１３に結合され、該抵抗力調整部材１１４が該固定座体１１２に設置され、弾性部材１１１の固定に用いられる。該貫通孔１３は該手掌装具本体１に設置され、該貫通孔１３は指の数に対応して５列設けられ、各列が複数の貫通孔１３を有し、手の指の延伸方向に沿って分布されている。該関節調整ユニット２は、前腕装具本体２１と、固定部材２２と、調整部材２３と、連結部材２４を備え、該固定部材２２が該手掌装具本体１に設置され、該調整部材２３が一方向ラチェット２３１を備え、かつ該調整部材２３が該連結部材２４に挿通されて、該連結部材上の歯部２４１により係止される（図４参照）。該連結部材２４は該前腕装具本体２１に設置される。該手掌装具本体１の両側に第１枢結体１２が設置され、該前腕装具本体２１の両側に第２枢結体２１１が設置され、該第１枢結体１２と該第２枢結体２１１が枢着されて、該該手掌装具本体１と該前腕装具本体２１間を相対的に旋回させることができる。
【００２０】
図３と図４に示すように、本考案の調整部材２３は、該手掌装具本体１と該前腕装具本体２１を調整して位置規制しつつ一定角度移動させることができる。このような関節調整機構を備えたハンドトレーニング装置は手のトレーニングをする人が用い、手をトレーニングする人の手に装着される。該調整部材２３の一端が該固定部材２２に固定され、該調整部材２３の他端が該連結部材２４に調整可能に固定される。該調整部材２３を第１方向ｄ１に向かって移動させると、第１枢結体１２と第２枢結体２１１が相互に枢着されているため、調整部材２３が該手掌装具本体１を動かし、該前腕装具本体２１に対して一定角度旋回させ、さらに該連結部材２４上の該歯部２４１により該調整部材２３上の該一方向ラチェット２３１を係止することで、該手掌装具本体１が規制され、該前腕装具本体２１に対して逆方向に旋回することができなくなる。ここで逆方向とは図４の視角の反時計回り方向を指す。装着後、手をトレーニングする人は手首を上に持ち上げて指のトレーニングをすることができ、この姿勢は一般的な日常生活で物品を扱う姿勢により近く、かつ手首と指の屈筋を伸ばして、筋肉の長さを伸ばし、筋肉の張力を和らげる効果を達成することができる。
【００２１】
図５と図６に示すように、指を移動する（本実施例では人差し指を移動している）。装着時、前腕装具本体２１が手をトレーニングする人の腕に固定される。固定方法はバンドを利用することができるが、本実施例は該バンドを省略している。手をトレーニングする人の各指はそれぞれ対応する指スリーブ１１３の中に入れる。指の力を利用して指スリーブ１１３を引っ張ると、指スリーブ１１３が該弾性部材１１１を牽引し、該弾性部材１１１の他端が固定座体１１２と抵抗力調整部材１１４に固定されているため、該弾性部材１１１が指に対して引張力を付与する。手をトレーニングする人の手の大きさに基づき、該弾性部材１１１を適した貫通孔１３に選択的に挿通し、かつ該抵抗力調整部材１１４により該弾性部材１１１の被固定点を調整して、弾性部材１１１に適切な弾性引張力を具備させることができる。トレーニング完了後は、該歯部２４１と該一方向ラチェット２３１を分離し、さらに該調整部材２３を第２方向ｄ２に向かって移動させ、該手掌装具本体１を基の位置に戻し、装着を便利に解除することができる。
【００２２】
上述の実施例の説明を総合すると、考案の操作、使用及び本考案の効果について充分に理解することができる。以上の実施例は、本考案の最良の実施例に基づくものであり、これらを以って本考案の実施の範囲を限定することはできず、本考案の特許請求の範囲及び明細書の内容に基づいた簡単な同等効果の変化や修飾はすべて本考案の範囲内に含まれる。
【符号の説明】
【００２３】
１ 手掌装具本体
１１ 引張力調整ユニット
１１１ 弾性部材
１１２ 固定座体
１１３ 指スリーブ
１１４ 抵抗力調整部材
１２ 第１枢結体
１３ 貫通孔
２ 関節調整ユニット
２１ 前腕装具本体
２１１ 第２枢結体
２２ 固定部材
２３ 調整部材
２３１ 一方向ラチェット
２４ 連結部材
２４１ 歯部
ｄ１ 第１方向
ｄ２ 第２方向
【図１】
0003231296.tif 000003
【図２】
0003231296.tif 000004
【図３】
0003231296.tif 000005
【図４】
0003231296.tif 000006
【図５】
0003231296.tif 000007
【図６】
0003231296.tif 000008